(57)【要約】      （修正有）【課題】清涼飲料のディスペンサーにおいて、冷却ファンの通気口に設けるフィルターに生じる目詰まりに起因する冷凍機の不具合を未然に防止するのが、有効に行われるようにする。【解決手段】清涼飲料のディスペンサーの、機体ａ内の、冷凍機４のコンプレッサー４ｂおよび放熱器４ｃおよび冷却ファン４ｄらを装置する機械室ｂに、その機械室ｂ内の気温を検出する温度センサＳを設けて、その温度センサＳの機械室ｂ内の気温の異常な上昇の検出作動によりコントローラ６に設けた冷凍機４の制御回路をオフとして冷凍機４の作動を停止させるよう冷凍機４の作動を制御せしめ、機体ａの外面に、この温度センサＳによる冷凍機４の制御状態を表示する表示装置９を装設する。【選択図】図２
0003107044.tif 000002
【実用新案登録請求の範囲】
【請求項１】
箱状に形成した機体ａ内の一半側に、冷却水ｗを張り込む水槽１を装設し、その水槽１内に、機体ａの外面に設けたドラフトコック２から汲み出す清涼飲料を流過させる蛇管３と、水槽１内の冷却水ｗ中に氷ｋを生成するための冷凍機４の冷媒蒸発管４ａとを配設し、機体ａ内の他半側を機械室ｂに形成し、その機械室ｂ内に前記冷凍機４の冷媒を圧縮するコンプレッサー４ｂおよび圧縮した冷媒を放熱する放熱器４ｃならびに冷却ファン４ｄを組み込み、機械室ｂの周壁に前記冷却ファン４ｄの通気口７０を設けてそれの内側にフィルターＦを設ける清涼飲料のディスペンサーＡにおいて、機体ａ内の、他半側に形成した冷凍機４のコンプレッサー４ｂおよび放熱器４ｃおよび冷却ファン４ｄらを装置する機械室ｂに、その機械室ｂ内の気温を検出する温度センサＳを設けて、その温度センサＳを、それの検出する検出信号が、外気温よりも異常に高い温度上昇を検出したときに、コントローラ６に設けた冷凍機４の制御回路をオフとして冷凍機４の作動を停止させるようコントローラ６に接続して、冷凍機４の作動を制御せしめ、機体ａの外面に、この温度センサＳによる冷凍機４の制御状態を表示する表示装置９を装設し、これに対処すべき操作を指示させるようにしたことを特徴とする清涼飲料のディスペンサーにおける冷凍機の冷却ファンの通気口のフィルターのメンテナンス装置。
【請求項２】
機体ａ内の他半側に形成した機械室ｂに設ける温度センサＳによりその機械室ｂ内に組み込んだ冷凍機４の制御状態を表示せしめるよう機体ａの外面に装設する表示装置９を、液晶パネルよりなるディスプレーとし、その表示装置９の表示面９０に、前記温度センサＳが異常な温度上昇を検出して冷凍機４の作動を停止せしめた状態時に、フィルターＦの点検・清掃を指示する文字を表示するようにしたことを特徴とする請求項１記載の清涼飲料のディスペンサーにおける冷凍機の冷却ファンの通気口のフィルターのメンテナンス装置。
【考案の詳細な説明】
【技術分野】
【０００１】
本考案は、ビール・炭酸水などの清涼飲料を、箱状に形成した機体内に、冷凍機と組み合わせて張り込む冷却水中に氷を生成するよう装設した水槽内に配設しておく蛇管内を流過させることで、機体の外面に設けたドラフトコックから、ジョッキ等の容器に分注するようにした清涼飲料のディスペンサーにおいて、冷凍機の放熱器の冷却ファンの通気口に設けるフィルターのメンテナンス装置に関する。
【背景技術】
【０００２】
上述の清涼飲料のディスペンサーＡは、通常、図１にあるように、箱状に形成した機体ａ内を、例えば上下に区画することで２分し、それの一半側である上半側に、冷却水ｗを張り込む水槽１を装架して、その水槽１内に、上流側をビールの生樽などの清涼飲料が詰められたタンクＴに接続し下流側を機体ａの前面に装設しておくドラフトコック２に接続する蛇管３を配設し、かつ、この水槽１内に張り込む冷却水ｗ中に氷ｋを生成するための冷凍機４の冷媒蒸発管４ａを蛇管状に成形して配設する。
【０００３】
そして、機体ａ内の他半側は、機械室ｂに形成して、この機械室ｂ内に、前記水槽１内に配設する冷媒蒸発管４ａに循環させる冷媒を圧縮する冷凍機４のコンプレッサー４ｂと、それにより圧縮した冷媒を放熱する放熱器４ｃと、その放熱器４ｃに冷却風を供給する冷却ファン４ｄとを組み込み、放熱器４ｃを経た冷媒の管路４ｅを冷媒蒸発管４ａの上流側の端部に接続し、その冷媒蒸発管４ａの下流側の端部を冷媒の管路４ｅを介してコンプレッサー４ｂの接続し、これにより、コンプレッサー４ｂの駆動モータ（図示省略）および冷却ファン４ｄのファンモータＭ１を駆動させて冷凍機４を作動させることで、圧縮された冷媒が冷媒蒸発管４ａに送られ、そこで蒸発して水槽１中の冷却水ｗに冷媒蒸発管４ａのまわりにおいて氷ｋを生成していき、この状態のところでドラフトコック２を操作することにより、ビール等の清涼飲料が水槽１内の氷ｋが共存する冷却水ｗで冷却された蛇管３を流過して氷点近くまで冷却されて、そのドラフトコック２からジョッキ等の容器Ｂに分注されるようにする。
【０００４】
水槽１内の冷却水ｗ中には、一対の電極５０・５１を具備する氷センサ５を配設しておいて、この氷センサ５に、氷ｋと冷却水ｗとの電気伝導度の相違により電極５０・５１間に氷ｋが存在している状態と冷却水ｗが存在している状態とを検出させ、その検出信号を機体ａに装備させておくコントローラ６に入力させて、氷ｋが電極５０・５１間に存在する状態となったときには冷凍機４の作動をオフとし、電極５０・５１に冷却水ｗが存在する状態となったときに冷凍機４の作動をオン・オフ制御させて、水槽１内に常時所定量の氷ｋが存在しているようにする。
【０００５】
また、機体ａ内の他半側に区画して形成し、前述の冷凍機４のコンプレッサー４ｂおよび放熱器４ｃならびに冷却ファン４ｄを収容せしめる機械室ｂには、それの周壁の機体ａの前面側の機壁となる部位などの適宜の部位に、冷却ファン４ｄの吸気口となる通気口７０と、機械室ｂ内のエアーを排出する排気口７１とを設け、通気口７０にはそれの内面側に抜き差し自在にフイルターＦを装着する。
【０００６】
そして、これにより、清涼飲料のディスペンサーＡに組立て、それの箱状の機体ａを、店のカウンターＣ等の適宜位置に設置し、蛇管３の上流側の接続口２ａに、清涼飲料のタンクＴを導管３０を介して接続し、電源コード８０の先端のプラグ８１を商用電源のコンセントに差し込むことで、ドラフトコック２の操作により水槽１中の蛇管３によって氷点近くまで冷却された清涼飲料が汲み出されるようにしてある。
【考案の開示】
【考案が解決しようとする課題】
【０００７】
上述の清涼飲料のディスペンサーＡには、冷凍機４の放熱器４ｃの冷却機能が、フィルターＦの目詰まりや冷却ファン４ｄのファンモータＭ１の故障などにより冷媒の放熱が不充分になることで、水槽１中の冷却水ｗに氷ｋを生成する製氷機能が低下し、ドラフトコック２から汲み出す清涼飲料の冷却が充分に行われないようになる問題がある。
【０００８】
冷却ファン４ｄの通気口７０に設けるフィルターＦは、通常、所定の期間を経たときに定期的に取り外して清掃し、目詰まりが生じないように点検することを、取扱説明書などでディスペンサーＡを扱い操作する使用者に注意をうながしているが、実際には、使用者がビヤホールなどの店の給仕人である店員であり、ドラフトコックを操作して清涼飲料を注ぎ出すだけで、これを怠ることが多く、そのため、このフィルターＦの目詰まりにより冷却ファン４ｄに機能の低下を来す場合は多い。
【０００９】
しかも、冷却ファン４ｄは、それにより生成する風により冷却ファン４ｄを駆動するファンモータＭ１の冷却も行わすようにしていることから、フィルターＦの目詰まりに起因してファンモータＭ１に故障を生ぜしめている場合も多い。
【００１０】
このことから、コントローラ６に三ケ月程度のタイマーを組み込んで、そのタイマーの作動により、機体ａの外面に設けておく警告ランプを点灯させて、このフィルターＦに清掃すべき時期がきていることを警告するようにする試みもなされているが、ディスペンサーＡを設置して使用する場所によっては、その付近にごみが多いときに、タイマーにより設定する期間より遙かに早い時期に、フィルターＦに目詰まりを生ぜしめる場合があり、効果を上げ得ない問題がある。
【００１１】
本考案は、従前の清涼飲料のディスペンサーに生じている上述の問題を解消するためになされたものであって、冷却ファンの通気口に設けるフィルターに生じる目詰まりに起因する冷凍機の不具合を未然に防止するのが、有効に行われるようにすることを目的とするものである。
【課題を解決するための手段】
【００１２】
そして、本考案においては、上述の目的を達成するための手段として、箱状に形成した機体ａ内の一半側に、冷却水ｗを張り込む水槽１を装設し、その水槽１内に、機体ａの外面に設けたドラフトコック２から汲み出す清涼飲料を流過させる蛇管３と、水槽１内の冷却水ｗ中に氷ｋを生成するための冷凍機４の冷媒蒸発管４ａとを配設し、機体ａ内の他半側を機械室ｂに形成し、その機械室ｂ内に前記冷凍機４の冷媒を圧縮するコンプレッサー４ｂおよび圧縮した冷媒を放熱する放熱器４ｃならびに冷却ファン４ｄを組み込み、機械室ｂの周壁に前記冷却ファン４ｄの通気口７０を設けてそれの内側にフィルターＦを設ける清涼飲料のディスペンサーＡにおいて、機体ａ内の、他半側に形成した冷凍機４のコンプレッサー４ｂおよび放熱器４ｃおよび冷却ファン４ｄらを装置する機械室ｂに、その機械室ｂ内の気温を検出する温度センサＳを設けて、その温度センサＳを、それの検出する検出信号が、外気温よりも異常に高い温度上昇を検出したときに、コントローラ６に設けた冷凍機４の制御回路をオフとして冷凍機４の作動を停止させるようコントローラ６に接続して、冷凍機４の作動を制御せしめ、機体ａの外面に、この温度センサＳによる冷凍機４の制御状態を表示する表示装置９を装設し、これに対処すべき操作を指示させるようにしたことを特徴とする清涼飲料のディスペンサーにおける冷凍機の冷却ファンの通気口のフィルターのメンテナンス装置。
【００１３】
しかして、本考案は、上述の目的を達成するために、種々の研究を重ねて得られた知見に基づいて完成したものである。
【００１４】
即ち、清涼飲料のディスペンサーＡに生じた冷凍機の不具合について検討したところ、フィルターの目詰まりに起因して生ずる冷却ファンによる放熱器の冷却機能の低下およびファンモータの故障の現象は、フィルターに目詰まりが実際に生じている場合だけに限らず、冷却ファンにより冷却風として取り込む機体の周辺の外気の温度が異常に高い場合にあっても生じ、冷凍機のコンプレッサーおよび放熱器ならびに冷却ファンを収蔵している機械室内の温度が上昇してきていることが大きな原因であることが判り、このためには、フィルター自体の目詰まり具合を検知しなくても、機械室内にその室内の温度を検出する温度センサを設けておいて、これにより検出する機械室内の温度により冷凍機の作動のオン・オフがなされるように制御しておき、かつ、この温度センサにより冷凍機の作動がオフに制御されたときに、それを知らせる表示装置を、機体の外面のドラフトコックの近傍などの使用者が良く見える位置に装設しておくか、ブザーまたはスピーカーなどの警告手段を設けておいて、それにより表示させるようにすれば有効に対処し得るようになること、さらに、表示装置は、液晶パネルのディスプレーに構成して、対処すべき操作を指示する文または文字・記号・絵などを表示するようにすれば一層適確になることが判ってきたことによるものである。
【００１５】
そして、このことから、本考案においては前述の手段を提起するものである。
【考案の効果】
【００１６】
以上説明したように、本考案による清涼飲料のディスペンサーにおける冷凍機の冷却ファンの通気口のフィルターのメンテナンス装置は、冷却ファンの通気口に設けるフィルターの目詰まりに対処するのに、冷凍機のコンプレッサー・放熱器・冷却ファン等を収蔵せしめる機械室内に設ける温度センサにより、その機械室内の温度を検出させて、それが異常に上昇した温度を検出したときに、それをもってフィルターに目詰まりが生じたとして、フィルターの点検・清掃を行うよう、機体の外面に設けた表示装置により指示させ、同時に冷凍機の運転・稼働を停止させるようにしているのだから、フィルターは実際に目詰まりが生じたときに点検・清掃を行えばよく、目詰まりの有無に係わりなく定期的に点検・清掃する煩わしさがなくなる。
【００１７】
しかも、冷却ファンが冷却風として取り込む外気の温度が高いことで、ファンモータが昇温してきているときにも対応するようになるので、冷凍機に生ずる不具合を有効に防止し得るようになる。
【考案を実施するための最良の形態】
【００１８】
本考案による清涼飲料のディスペンサーにおけるメンテナンス装置は、ディスペンサーＡ自体の機体構成については、基本的には従前のディスペンサーと同様に構成してよいものであり、次にその実施の態様を実施例について具体的に説明する。
【実施例１】
【００１９】
図２および図３は本考案の実施例を示し、図において、ａは機体で、ビヤホール等の清涼飲料を販売する店のカウンターＣ等に設置し得るように箱状に形成してあり、前面側には、ドラフトコック２が装設してある。
【００２０】
この箱状に形成する機体ａ内には、水槽１を装設し、その水槽１内に、冷却水ｗを張り込み、その冷却水ｗ中に、前記ドラフトコック２から汲み出す清涼飲料を流過させて冷却するための蛇管３と、冷凍機４の作動により冷却水ｗ中に氷ｋを生成するための冷媒蒸発管４ａと、駆動モータＭ２により駆動されて回転し冷却水ｗを撹拌するアジテータとを装設する。
【００２１】
この機体ａ内に装設する水槽１は、機体ａ内を２分するように区画して、それの一半側に装設するようにするが、この例においては、機体ａ内を前後に２分し、それの前半側に水槽１を組み込み、他半側となる後半側は、冷凍機４を組み込む機械室ｂに形成して、ここに、水槽１内に配設する前述の冷媒蒸発管４ａ内に送給して気化させた冷媒を圧縮するための冷凍機４のコンプレッサー４ｂおよびそのコンプレッサー４ｂにより圧縮した冷媒を放冷する放熱器４ｃならびにその放熱器４ｃに冷却風を供給する冷却ファン４ｄ等を組み、冷媒の管路４ｅを介し放熱器４ｃと冷媒蒸発管４ａおよびその冷媒蒸発管４ａとコンプレッサー４ｂとを接続して、これにより、冷媒蒸発管４ａ内で気化してその冷媒蒸発管４ａのまわりに氷ｋを生成せしめた冷媒が、コンプレッサー４ｂから放熱器４ｃを経て再び冷媒蒸発管４ａに戻るよう循環して、冷却水ｗ中に氷ｋを生成していくようにしている。
【００２２】
そして、水槽１内には、氷センサ５を配設して、それの一対の電極５０・５１間における氷ｋの有無を検出させるようにし、それの検出信号を、前述の冷凍機４の作動を制御するよう機体ａ内に装設しておくコントローラ６に導き、生成された氷ｋの量を判断させて、それにより、冷却水ｗ中に常時所定量の氷ｋが存在しているように冷凍機４の作動をオン・オフ制御するようにしている。
【００２３】
また、冷凍機４のコンプレッサー４ｂ・放熱器４ｃ・冷却ファン４ｄ等を組み込む機械室ｂには、冷却ファン４ｄが冷却風として外気を取り込むための通気口７０を設ける。この吸気口となる通気口７０は、機体ａの周壁となる適宜の部位に設けてよいものであるが、この例においては、機体ａの床板の、機械室ｂの床面となる部位に下方に向けて開放するように設けてあり、支脚１０により支承される機体ａの底面の下方の空間を介して外気を取り込むようにしてある。
【００２４】
そして、この通気口７０の内側位置に設けるフィルターＦは、機体ａの後面側から水平方向に沿いスライドさせることで、抜き差し自在に装設してある。
【００２５】
Ｓは、このフィルターＦに生ずる目詰まりを、その目詰まりに起因して上昇してくる機械室ｂ内の温度によって検出するために、機械室ｂ内に設けた温度センサである。
【００２６】
この温度センサＳは、機械室ｂ内の温度が検出されるようになればよく、機械室ｂの適宜の場所に設けてよいものであるが、この例においては、機械室ｂを形成する機体ａの後半側の機壁に開設した排気口７１の近傍位置位置に設けてある。
【００２７】
この温度センサＳは、それにより検出する検出信号が、外気温よりも異常に高い温度を検出したときに、コントローラ６に設ける冷凍機４を作動させる制御回路をオフとして冷凍機４の作動をストップさせるようにコントローラ６に接続する。
【００２８】
そして、この温度センサＳが機械室ｂ内の気温の異常な上昇を検出して冷凍機４の作動をストップさせたときに、その状態を使用者に知らせるための表示装置９を、機体ａの外面で使用者が良く見える部位に装置しておく。
【００２９】
この表示装置９は、例えば、点滅する表示ランプに構成して、機体ａの前面のドラフトコック２の隣側位置等に設けるようにしてよいが、液晶パネルのディスプレーに構成してよく、また、断続して鳴動するブザーまたは音声を発するスピーカーとする場合、またはこれらを併設するようにしてもよい。
【００３０】
図示する実施例は、この表示装置９に液晶パネルのディスプレーを用いた例で、９０はそれの表示面であり、この表示面９０に、異常状態時にフィルターの点滅・清掃を行うことを指示する文字が表示されるようにしてある。また、正常に作動しているときには点灯を続け、前述の冷凍機４の作動をストップさせる異常時に点滅を繰り返すランプ９２が併設してあり、さらに、異常時にそれを音声で知らせるスピーカー９１が併設してある。
【００３１】
７２は、フィルターＦを抜き差しするガイドレール上に設けたリセットスイッチで、抜き出したフィルターＦを清掃して装着した状態に戻すことにより冷凍機４の制御回路をリセットして冷凍機４が再び作動し始めるようにコントローラ６に接続してある。
【００３２】
また、３２は清涼飲料のタンクＴに接続した炭酸ガスのボンベである。
【図面の簡単な説明】
【００３３】
【図１】従前の清涼飲料のディスペンサーの縦断側面図である。
【図２】本考案を実施せる清涼飲料のディスペンサーの縦断側面図である。
【図３】同上の正面図である。
【符号の説明】
【００３４】
Ａ…ディスペンサー、Ｂ…容器、Ｃ…カウンター、Ｆ…フィルター、Ｓ…温度センサ、Ｔ…タンク、Ｍ１…ファンモータ、Ｍ２…モータ、ａ…機体、ｂ…機械室、ｋ…氷、ｗ…冷却水、１…水槽、１０…支脚、２…ドラフトコック、３…蛇管、３０…導管、３１…アジテータ、４…冷凍機、４ａ…冷媒蒸発管、４ｂ…コンプレッサー、４ｃ…放熱器、４ｄ…冷却ファン、５…氷センサ、５０・５１…電極、６…コントローラ、７０…通気口、７１…排気口、７２…リセットスイッチ、８０…電源コード、８１…プラグ、９…表示装置、９０…表示面、９１…スピーカー、９２…ランプ。
【図１】
0003107044.tif 000003
【図２】
0003107044.tif 000004
【図３】
0003107044.tif 000005